(57)【要約】【課題】装置に投入される廃棄物が発泡スチロールのように軽量でふわふわしたものであっても、効率良く減容固化することができる２軸型の廃棄物減容固化装置を提供する。【解決手段】廃棄物投入口と減容盤を備えたケーシングと、該ケーシング内に配置され同じ方向に回転する一対の回転軸と、該回転軸に設けられたスクリューを具備する廃棄物減容固化装置において、スクリューの厚みを回転軸の後端部から前端部にかけて順次厚くすることによりスクリューの間隔が順次狭くなるように構成する。【選択図】      図３
2005040651.tif 000002
【特許請求の範囲】
【請求項１】
廃棄物投入口と減容盤を備えたケーシングと、該ケーシング内に配置され同じ方向に回転する一対の回転軸と、該回転軸に設けられたスクリューを具備する廃棄物減容固化装置において、スクリューの厚みを回転軸の後端部から前端部にかけて順次厚くすることによりスクリューの間隔が順次狭くなるように構成したことを特徴とする廃棄物減容固化装置。
【請求項２】
スクリューの回転軸に対する傾斜角を回転軸の後端部から前端部にかけて順次大きくなるように構成したことを特徴とする請求項１に記載の廃棄物減容固化装置。
【請求項３】
回転軸の前端部に一対の回転軸の外周部を覆う加圧リングを設けたことを特徴とする請求項１又は２に記載の廃棄物減容固化装置。
【請求項４】
加圧リングの外周部にヒーターを設けたことを特徴とする請求項３に記載の廃棄物減容固化装置。
【請求項５】
減容盤の排出口側に減容盤から押し出される減容固化された廃棄物を切断する切断手段を設けたことを特徴とする請求項１〜４のいずれかに記載の廃棄物減容固化装置。
【発明の詳細な説明】
【０００１】
【発明の属する技術分野】
本発明は、一般家庭や工場、事業所等から排出されるプラスチック類を含む可燃性廃棄物を減容固化し、固形燃料等として再利用するための廃棄物減容固化装置に関する。
【０００２】
【従来の技術】
一般家庭や工場、事業所等から排出されるプラスチック類を含む可燃性廃棄物を減容固化し、固形燃料等として再利用するための廃棄物減容固化装置は種々知られており、（１）ケーシング内に１本のスクリューを有する回転軸を配置し、スクリューの回転によって廃棄物を圧縮、固化する１軸型減容固化装置（例えば、特許文献１参照）や、（２）ケーシング内に対向する方向に回転する２本のスクリューを有する一対の回転軸を配置し、対向回転するスクリュー間に廃棄物を噛み込んで圧縮、固化する２軸型減容固化装置（例えば、特許文献２、３参照）等が提案されている。
【０００３】
【特許文献１】
特開２００１−３００９３７号公報
【特許文献２】
特開平９−２５４１５４号公報
【特許文献３】
特開２００１−２０５４９１号公報
【０００４】
しかしながら、従来の２軸型減容固化装置では、装置に投入される廃棄物が発泡スチロールのように軽量でふわふわした廃棄物の場合には、対向する方向に回転する２本のスクリュー間に廃棄物が噛み込まれず、スクリュー上に滞留したり、スクリュー上部を単に前方に移動するのみで圧縮、固化されず、廃棄物を減容固化する効率が著るしく低下するという問題点があった。
【０００５】
【発明が解決しようとする課題】
したがって、本発明は、装置に投入される廃棄物が発泡スチロールのように軽量でふわふわしたものであっても、効率良く減容固化することができる２軸型の廃棄物減容固化装置を提供することを目的とする。
【０００６】
【課題を解決するための手段】
本発明者等は鋭意検討した結果、２軸型の廃棄物減容固化装置において、２本のスクリューを同じ方向に回転させるとともに、スクリューの厚みを回転軸の後端部から前端部にかけて順次厚くしスクリューの間隔を順次狭くすること等により、上記課題が解決されることを発見し、本発明を完成させたものである。
【０００７】
すなわち、本発明の廃棄物減容固化装置は、つぎのような構成をとるものである。
１．廃棄物投入口と減容盤を備えたケーシングと、該ケーシング内に配置され同じ方向に回転する一対の回転軸と、該回転軸に設けられたスクリューを具備する廃棄物減容固化装置において、スクリューの厚みを回転軸の後端部から前端部にかけて順次厚くすることによりスクリューの間隔が順次狭くなるように構成したことを特徴とする廃棄物減容固化装置。
２．スクリューの回転軸に対する傾斜角を回転軸の後端部から前端部にかけて順次大きくなるように構成したことを特徴とする１に記載の廃棄物減容固化装置。
３．回転軸の前端部に一対の回転軸の外周部を覆う加圧リングを設けたことを特徴とする１又は２に記載の廃棄物減容固化装置。
４．加圧リングの外周部にヒーターを設けたことを特徴とする３に記載の廃棄物減容固化装置。
５．減容盤の排出口側に減容盤から押し出される減容固化された廃棄物を切断する切断手段を設けたことを特徴とする１〜４のいずれかに記載の廃棄物減容固化装置。
【０００８】
【発明の実施の形態】
つぎに、図に基づいて本発明の実施の形態について詳細に説明するが、以下の具体例は本発明を限定するものではない。
図１〜図５は本発明の廃棄物減容固化装置の１例を示す図であり、図１は装置の外観を示す概略的な正面図、図２は同じく平面図、図３は２本のスクリューを有する回転軸の状態を表す拡大模式図、図４は図３のＸＸ線における断面図である。また、図５の（Ａ）は減容盤をケーシング側から見た平面図、そして同図の（Ｂ）は（Ａ）のＹＹ線における断面図である。
【０００９】
この廃棄物減容固化装置では、図１及び図２にみられるように、基台１上に上面に廃棄物の投入口３を開口したケーシング２を設置し、ケーシング２の内部には外周面にスクリュー１５、１６を有する２本の回転軸５、６を水平に並列状態に配置している。回転軸５、６の一端部はギヤーボックス４、減速機７、駆動モータ８と連結されている。
【００１０】
駆動モータ８を駆動すると、その回転駆動は減速機７、ギヤーボックス４を介して回転軸５、６に伝達される。回転軸５、６は、図３にみられるように、同じ方向に回転し、投入口３から投入された廃棄物をケーシング２と回転軸５、６の外周部との隙間に押し込み、圧縮破砕しながら減容盤（押し出しダイス）９方向へ強制的に移動させる。
【００１１】
ケーシング２の前端部内側には、減容盤９に隣接する位置に、回転軸５、６の外周部を覆う加圧リング１０を設けることによりケーシング２と回転軸の外周部の隙間を狭くし、圧縮されたプラスチック類を含む廃棄物が溶融し易くするとともに、逆流するのを防止している。この加圧リング１０の外周部にはヒーター（図示せず）を設けて、廃棄物の溶融を促進するようにしてもよい。
【００１２】
減容盤９は、本体２２及び本体２２に着脱可能に固定された摩耗板２３により構成され、本体２２及び摩耗板２３には回転軸５、６の先端部を軸支する凹部２５、２６が設けられ、凹部２５、２６の周囲には圧縮、溶融された廃棄物を減容固化する減容孔２４が設けられている。（図５参照）
また、本体２２の外側には、減容孔２４から棒状に押し出される減容固化された廃棄物を所定の寸法に切断する切断手段として、スキトリ板２７が回転可能に設置されている。減容盤９を構成するこれらの部材が損耗した場合には、損耗した部材のみを交換すればよいので、メンテナンスのコストを低下させることができる。
【００１３】
この廃棄物減容固化装置では、図３にみられるように、同方向に回転する一対の回転軸５、６の外周面に設けたスクリュー１５、１６の厚みを、回転軸の後端部（投入口側）から前端部（減容盤側）にかけて順次厚くすることによりスクリューの間隔が同方向で順次狭くなるように構成している。すなわち、この例では、後端部でのスクリューの厚みをｂ、スクリューの間隔をＡとし、前端部でのスクリューの厚みをＢ、スクリューの間隔をａとしたときに、スクリューの厚みと隣接するスクリュー間の間隔の和を一定とし（ｂ＋Ａ＝Ｂ＋ａ）、スクリューの厚みをｂからＢにかけて順次厚くすることによって、スクリューの間隔をＡからａにかけて順次狭くなるようにしたものである。なお、この例では、ｂ＋Ａ＝Ｂ＋ａとしたが、適宜変更できることは、勿論である。
また、スクリューの回転軸に対する傾斜角（図３のＣ１及びＣ２）を、回転軸の後端部（Ｃ１）から前端部（Ｃ２）にかけて順次大きくなるように（Ｃ２＞Ｃ１）構成している。
【００１４】
同方向に回転する一対の回転軸５、６を上記のように構成することによって、ケーシング２内に投入された廃棄物は、スクリューの傾斜角が緩く間隔の大きい後端部でケーシング２と回転軸５、６の外周部との隙間に効率良く押し込まれ、減容盤９の方向へ圧縮、破砕されながら移動する。その際に、スクリュー間隔が順次狭くなるとともに傾斜角が順次大きくなることにより、圧縮効率が著しく改善される。また、ケーシング２の前端部内側の減容盤に隣接する位置に加圧リング１０を設けたことにより、装置と廃棄物との摩擦熱が増大し廃棄物中のプラスチック類等の溶融が一段と促進される。
【００１５】
【発明の効果】
上記の構成をとることによって、本発明の廃棄物減容固化装置では、発泡スチロールのように軽量でふわふわした廃棄物であっても、効率良く圧縮、破砕し、減容固化して再生燃料や建築材料等として再利用可能とすることができる。
【図面の簡単な説明】
【図１】本発明の廃棄物減用固化装置の１例を示す図である。
【図２】図１の装置の平面図である。
【図３】図１の装置のスクリューを有する回転軸の状態を表す拡大模式図である。
【図４】図３のＸＸ線における断面模式図である。
【図５】図１の装置の減容盤を表す拡大模式図である。
【符号の説明】
１          基台
２          ケーシング
３          投入口
４          ギヤーボックス
５、６      回転軸
７          減速機
８          駆動モータ
９          減容盤
１０        加圧リング
１５、１６  スクリュー
２２        減容盤本体
２３        摩耗板
２４        減容孔
２５、２６  凹部
２７        スキトリ板
【図１】
2005040651.tif 000003
【図２】
2005040651.tif 000004
【図３】
2005040651.tif 000005
【図４】
2005040651.tif 000006
【図５】
2005040651.tif 000007